(57)【要約】【課題】音響を可変として多彩な演奏を可能にすることができる。【解決手段】楽器本体１０ａの収容部１０ａａには、共鳴箱３２及び複数の音板３１を備えてなる音源ユニット３０が収容される。鍵盤蓋ユニットＵＮＴは、主に前蓋体４０と後蓋４６とから構成される。鍵盤蓋ユニットＵＮＴの開閉操作は、通常、前蓋体４０の主に蓋前部４２を把持してなされ、後蓋４６が、前蓋体４０と連動して変位する。後蓋４６の一部は収容部１０ａａに常に入っており、音源ユニット３０から音響が発生しているときに前蓋体４０を操作すると、後蓋４６の変位に応じて音響が変化する。【選択図】図２
2007240609.tif 000002
【特許請求の範囲】
【請求項１】
楽器本体と、
演奏操作子と、
前記楽器本体の内部に収容され、前記演奏操作子の操作に応じた音響を発生させる箱状の音響発生部と、
前記楽器本体に対して変位自在に設けられ、前記楽器本体の内部に少なくとも一部が常に入っている変位部材と、
前記変位部材を変位させる操作部とを有し、
前記音響発生部から音響が発生しているときに前記操作部の操作により前記変位部材が変位すると、前記変位部材の変位に応じて前記音響が変化するように構成されたことを特徴とする楽器。
【請求項２】
前記楽器本体には、演奏時において前記音響発生部から発生する音響を外部に放音する開口部が設けられ、さらに、前記楽器本体に対して変位自在に設けられ、前記変位部材と協働して前記開口部の実質的な開口状態を変化させる開口可変部材を有することを特徴とする請求項１記載の楽器。
【請求項３】
前記開口可変部材は前記操作部として機能するように構成されていることを特徴とする請求項２記載の楽器。
【請求項４】
前記演奏操作子は鍵として構成され且つ当該楽器は鍵盤楽器型に構成され、前記楽器本体には、前側蓋体と後側蓋体とが連結されてなり非演奏時に前記演奏操作子を覆う鍵盤蓋が設けられ、前記鍵盤蓋の前記前側蓋体の操作によって前記後側蓋体が前記前側蓋体と連動して変位するように構成されていることで、前記前側蓋体は前記操作部として機能すると共に、前記後側蓋体は前記変位部材として機能することを特徴とする請求項１〜３のいずれか１項に記載の楽器。
【請求項５】
前記音響発生部は、前記演奏操作子の操作に応じて打撃部によって打撃されて振動することで固有の音高の楽音を発音する発音部材と、開口側が前記発音部材に近接対向して配置され前記発音部材から発生する楽音を共鳴させる共鳴箱とから構成されることを特徴とする請求項１〜４のいずれか１項に記載の楽器。
【発明の詳細な説明】
【技術分野】
【０００１】
本発明は、箱状の音響発生部が楽器本体の内部に収容された楽器に関する。
【背景技術】
【０００２】
従来、演奏操作子の操作に応じた音響を発生させる箱状の音響発生部が楽器本体の内部に収容された楽器が知られている。例えば、下記特許文献１の楽器では、共鳴箱が楽器本体の内部に収容されている。この楽器は、鍵盤型に構成され、共鳴箱が音板に近接配置されている。鍵の操作に応じて音板がハンマによって打撃され、音板が振動することで楽音が発生する。そして、その楽音が共鳴箱で共鳴し、音響となって、楽器本体の開口部から外部に放音される。
【特許文献１】特開平４−２１２９９４号公報
【発明の開示】
【発明が解決しようとする課題】
【０００３】
しかしながら、上記特許文献１の楽器では、各音板が発する楽音は、減衰音であってそれ自体は単調なものであり、また、共鳴箱で共鳴した音響に音量変化等の変化を付けることはできないことから、演奏が単調になりがちであった。そのため、多彩な演奏を実現する上では、改善の余地があった。
【０００４】
本発明は上記従来技術の問題を解決するためになされたものであり、その目的は、音響を可変として多彩な演奏を可能にすることができる楽器を提供することにある。
【課題を解決するための手段】
【０００５】
上記目的を達成するために本発明の請求項１の楽器は、楽器本体（１０ａ）と、演奏操作子（２７、２８）と、前記楽器本体の内部に収容され、前記演奏操作子の操作に応じた音響を発生させる箱状の音響発生部（３０）と、前記楽器本体に対して変位自在に設けられ、前記楽器本体の内部に少なくとも一部が常に入っている変位部材（４６）と、前記変位部材を変位させる操作部（４０）とを有し、前記音響発生部から音響が発生しているときに前記操作部の操作により前記変位部材が変位すると、前記変位部材の変位に応じて前記音響が変化するように構成されたことを特徴とする。
【０００６】
好ましくは、前記楽器本体には、演奏時において前記音響発生部から発生する音響を外部に放音する開口部（ＯＰ０）が設けられ、さらに、前記楽器本体に対して変位自在に設けられ、前記変位部材と協働して前記開口部の実質的な開口状態を変化させる開口可変部材（４４）を有する（請求項２）。
【０００７】
好ましくは、前記開口可変部材は前記操作部として機能するように構成されている（請求項３）。
【０００８】
好ましくは、前記演奏操作子は鍵として構成され且つ当該楽器は鍵盤楽器型に構成され、前記楽器本体には、前側蓋体（４４）と後側蓋体（４６）とが連結されてなり非演奏時に前記演奏操作子を覆う鍵盤蓋（ＵＮＴ）が設けられ、前記鍵盤蓋の前記前側蓋体の操作によって前記後側蓋体が前記前側蓋体と連動して変位するように構成されていることで、前記前側蓋体は前記操作部として機能すると共に、前記後側蓋体は前記変位部材として機能する（請求項４）。
【０００９】
好ましくは、前記音響発生部は、前記演奏操作子の操作に応じて打撃部によって打撃されて振動することで固有の音高の楽音を発音する発音部材（３１）と、開口側が前記発音部材に近接対向して配置され前記発音部材から発生する楽音を共鳴させる共鳴箱（３２）とから構成される（請求項５）。
【００１０】
なお、上記括弧内の符号は例示である。
【発明の効果】
【００１１】
本発明の請求項１によれば、音響の変化をより強調することができる。
【００１２】
請求項２によれば、音響の変化をより強調することができる。
【００１３】
請求項３によれば、構成の複雑化を抑制することができる。
【００１４】
請求項４によれば、鍵盤蓋を、音響可変のための部材に兼用して、構成の複雑化を抑制しつつ、音響を可変として多彩な演奏を可能にすることができる。
【００１５】
請求項５によれば、音板打楽器等における単調な楽音に変化を与えることを可能として、多彩な演奏を可能にすることができる。
【発明を実施するための最良の形態】
【００１６】
以下、本発明の実施の形態を図面を参照して説明する。
【００１７】
図１〜図３は、本発明の一実施の形態に係る楽器である鍵盤楽器の楽器本体の内部構成を示す断面図である。概略を述べると、この鍵盤楽器１０は、チェレスタに類似した鍵盤式音板打楽器として構成され、外観上は、アップライトピアノのようであるが、弦を備えない。その代わり、鍵盤楽器１０の上半部に位置する楽器本体１０ａ内にチェレスタの音板と同様の音板を備え、該音板を打撃、振動させて発音させるものであり、音板が発音した音を共鳴させる共鳴箱も備える。また、音板を打撃するための機構として、アップライトピアノではなくグランドピアノ用のアクション機構と同様の機構を備える。以降、鍵盤楽器１０の奏者側を前方と称し、左右方向は奏者を基準として呼称する。
【００１８】
図１〜図３に示すように、鍵盤楽器１０は、鍵盤蓋ユニットＵＮＴを備える。図１、図２、図３は、鍵盤蓋ユニットＵＮＴの閉蓋状態、開蓋途中状態、開蓋状態を、それぞれ示している。
【００１９】
楽器本体１０ａの下部の棚板１４の上には筬１５が配置され、筬１５の前部に筬前１６が設けられる。筬１５には、支持部材１９が設けられ、支持部材１９に設けられたバランスピン６２、６３を支点として、鍵盤ＫＢの複数の白鍵２７及び黒鍵２８が上下方向に揺動（シーソー運動）自在に支持される。筬前１６の前部を口棒部１７が全鍵幅に亘って覆っている。
【００２０】
また、筬１５の後半部上部には、アクションブラケット２２を介してアクション機構２０が配設される。アクションブラケット２２及びアクション機構２０は、各鍵２７、２８に対応して配列され、アクション機構２０は、グランドピアノのアクション機構と同様の構成を有する。さらに、これらアクション機構２０の上方やや後方には、木製の共鳴箱３２及び複数の音板３１を備えてなる音源ユニット３０が配設される。音板３１は、各鍵２７、２８に対応して設けられる。対応する鍵２７、２８の押鍵操作によってハンマ体２３が上方に回動し、対応する音板３１をハンマフェルト２４が打撃することで、その音板３１が振動して発音し、その音が共鳴箱３２で共鳴する。
【００２１】
音源ユニット３０は、共鳴箱３２に音板３１が振動自在に装着されて構成されている。共鳴箱３２は、楽器本体１０ａの左右両側部を構成する側板間に亘る長さを有し、両側板の内側に設けられた不図示の支持部に共鳴箱３２の左右両端部が螺合等によって固定されることで、音源ユニット３０が楽器本体１０ａ内に収容されている。
【００２２】
上前板部５１の下部には目隠し部２９が設けられている。目隠し部２９は、楽器本体１０ａの略全幅に亘って設けられる。目隠し部２９の下端と白鍵２７のうち目隠し部２９の下方位置にある部分との間には、鍵盤蓋ユニットＵＮＴが無いとした場合に楽器本体１０ａの内部を奏者側（前方）に開放する前側開口部ＯＰ０が形成される（図１参照）。楽器本体１０ａにおいて、音源ユニット３０を収容している筐体部分である収容部１０ａａは、上前板部５１、目隠し部２９、天板部５２、背板部５３及び棚板１４の後半部によって囲まれた閉所的な空間である。
【００２３】
収容部１０ａａにおいては、共鳴箱３２から発する音響を外部に放音するための開口部が、天板部５２、背板部５３に設けられる（いずれも図示せず）。このほか、前側開口部ＯＰ０のうち、開蓋状態または開蓋途中状態において鍵盤蓋ユニットＵＮＴによって遮られない部分も、外部への放音用の開口部の１つとなる（詳細は後述する）。
【００２４】
音板３１は、鍵数分設けられ、各々その長手方向を前後方向として、左右方向に並列的に配設されている。各音板３１は、いずれも断面矩形であるが、その全長等の形状が個々に異なっており、対応するハンマフェルト２４によって打撃されて振動して、各々固有の音高で発音するようになっている。
【００２５】
図示しないが、共鳴箱３２は、例えば、低音側から順に、ヘルムホルツ型の低音域部、閉管型の中音域部、一括式共鳴箱の高音域部で構成される。低音域部と中音域部とは、各音板３１に対応して音板３１と同数の共鳴室を有する。高音域部は、複数の音板３１に共通の１つの共鳴室を有する。各音板３１は、共鳴箱３２の下側である開口部３２ａ側に近接して配設され、共鳴箱３２の前側下端及び後側下端に対して、例えば、紐及び多数の留め具を介して振動可能に吊り下げ状態で取り付けられている。
【００２６】
楽器本体１０ａの左右の側板には、それぞれ、ガイド４８及び回動軸４９が設けられている。ガイド４８は、側面視で前側開口部ＯＰ０（図１参照）から楽器本体１０ａの内部に亘る位置において側板に固定され、その上面が、後方にいくにつれて上方に傾斜している。また、回動軸４９は、前側開口部ＯＰ０より前方で且つ、側面視における白鍵２７の前半部の長手方向中央付近において、側板に対して図１の時計／反時計方向に回動自在に取り付けられている。
【００２７】
鍵盤蓋ユニットＵＮＴは、主に前蓋体４０と連結部４５と後蓋４６とから構成される。前蓋体４０は、蓋前部４２、回動支持部材４３及び前蓋４４からなる。蓋前部４２、前蓋４４及び後蓋４６は、鍵盤部ＫＢの全幅よりやや大きい幅を有する。前蓋４４と後蓋４６とは蝶番等の連結部４５で回動自在に連結されている。また、蓋前部４２は、前蓋４４の前端部に取り付けられ、回動支持部材４３は、前蓋４４の両側部に取り付けられている。さらに、後蓋４６の左右両端部の後面側に被ガイド部材４７が設けられている。
【００２８】
回動支持部材４３は、一端が回動軸４９と係合し、他端が前蓋４４の側部に固定されて、回動軸４９を中心に他端が回動自在となっている。これにより、前蓋４４は、回動支持部材４３を介して回動軸４９を中心に回動自在となっている。また、被ガイド部材４７は、ガイド４８の上面に常に当接している。
【００２９】
鍵盤蓋ユニットＵＮＴの開閉操作は、通常、前蓋体４０の主に蓋前部４２を把持してなされる。まず、開蓋操作時には、鍵盤蓋ユニットＵＮＴが鍵盤部ＫＢを覆う閉蓋状態（図１参照）から、蓋前部４２を持って前蓋４４を上方に回動させると、後蓋４６が、連結部４５を介して前蓋４４の回動に連動して後方に移動していく。その際、被ガイド部材４７がガイド４８と摺接することで、後蓋４６の姿勢が規定され、後蓋４６は、その姿勢を徐々に変化させながら円滑に後退していく（図２、図３参照）。
【００３０】
図３に示すように、蓋前部４２が、目隠し部２９に当接すると、鍵盤蓋ユニットＵＮＴが開蓋状態となる。図１〜図３に示すように、閉蓋状態から開蓋状態までの開閉の往工程においては、前蓋４４は、水平状態から徐々に時計方向にその傾斜角度を変化させ、開蓋状態においては、上前板部５１と略平行となって、上前板部５１の下方への延長上に位置する。
【００３１】
一方、後蓋４６は、閉蓋状態では、前部が下方に傾斜した姿勢であるが、開閉の往工程においてその傾斜の程度が徐々に大きくなって、開蓋状態においては、上前板部５１の近い角度となる。しかも、前蓋４４と後蓋４６とは近接対向してほぼ折り畳み状態となる。後蓋４６はまた、閉蓋状態では、その後端部が前側開口部ＯＰ０に位置しているが、開蓋状態においては、後蓋４６の長手方向のほぼ中央が、前側開口部ＯＰ０に位置している。
【００３２】
閉蓋操作時は、蓋前部４２を把持して、開蓋操作とは逆の操作を行う。開閉の復工程においても被ガイド部材４７がガイド４８に摺接し、鍵盤蓋ユニットＵＮＴは往工程とは逆の動作をする。
【００３３】
鍵盤部ＫＢの演奏は、通常、図３に示す開蓋状態でなされる。しかし、本実施の形態では、それだけでなく、演奏中に、鍵盤蓋ユニットＵＮＴの開蓋の程度を変化させることで、音響に変化を付けることができるようになっている。すなわち、演奏者は、鍵盤演奏によって、発音がされているときに、蓋前部４２を前後に操作して、例えば、開蓋状態（図３参照）と開蓋途中状態（図２参照）との間で鍵盤蓋ユニットＵＮＴを動かすことができる。そして、鍵盤蓋ユニットＵＮＴが動くことによって、共鳴箱３２から発する音響の放音状態を変化させることができる。
【００３４】
まず、図２に示すように、開蓋途中状態では、目隠し部２９と後蓋４６との間に小さい第１開口部ＯＰ１が生じる。また、後蓋４６の下端部と白鍵２７との間に第２開口部ＯＰ２が生じる。これら両開口部ＯＰ１、ＯＰ２は、いずれも、収容部１０ａａ内部を奏者側に開放する。すなわち、前側開口部ＯＰ０（図１参照）の実質的な開口状態が鍵盤蓋ユニットＵＮＴの位置、姿勢によって変化し、開蓋途中状態では、第１、第２開口部ＯＰ１、ＯＰ２が実質的な前方への放音用の開口部となる。従って、共鳴箱３２から発する音響は、第１、第２開口部ＯＰ１、ＯＰ２を通じて、奏者側に放音される。
【００３５】
一方、図３に示すように、開蓋状態では、第１開口部ＯＰ１は一応生じるが、蓋前部４２乃至前蓋４４の上端部と目隠し部２９との間に隙間がほとんどないため、第１開口部ＯＰ１は放音機能を果たさない。図示はしないが、開蓋途中状態から開蓋状態までの間では、蓋前部４２乃至前蓋４４の上端部と目隠し部２９との間に隙間が生じるため、第１開口部ＯＰ１は、演奏時において、閉蓋状態と開蓋状態を除けば放音機能を果たすことができる。
【００３６】
また、第２開口部ＯＰ２は、開蓋途中状態から開蓋状態になるにつれて小さくなる。従って、第２開口部ＯＰ２は、開蓋状態では、開蓋途中状態のときよりも小さいが、開蓋途中状態から開蓋状態までにおける演奏時において、常に放音機能を果たすことができる。
【００３７】
共鳴箱３２からの音響の多くは、上方だけでなく、下側の開口部３２ａからも発生する。そして、開口部３２ａから前側開口部ＯＰ０（図１参照）までの間に、音の伝搬経路の一部が形成されると考えられる。ここで、後蓋４６は常に前側開口部ＯＰ０付近に位置することから、後蓋４６は音の伝搬経路に常に位置している。しかも、開蓋途中状態から開蓋状態までにおいて、後蓋４６はその位置だけでなく、その姿勢（角度）を変化させる。従って、開口部３２ａから発せられた音響が、後蓋４６によって遮られる状態、あるいは反射する状態も変化することになる。
【００３８】
すなわち、後蓋４６が動くことで、音響の遮断、反射の状態が変化し、これと、前側開口部ＯＰ０の実質的な開口状態の変化とが相まって、音響が複雑に変化し、結果として、外部への放音状態が変化する。具体的には、主に、楽音の音量と音色が鍵盤蓋ユニットＵＮＴの動きに応じて変化する。奏者は、楽音が発生しているときに、鍵盤蓋ユニットＵＮＴを前後に往復移動させることで、通常であれば単調なアコースティックな楽音に対して音量の増減変化や音色変化を与えることができる。鍵盤蓋ユニットＵＮＴの移動範囲や速度は、奏者が手動操作により自由に制御することができるので、多彩で豊かな演奏表現が可能となる。
【００３９】
本実施の形態によれば、鍵盤蓋ユニットＵＮＴの後蓋４６の少なくとも一部が、収容部１０ａａ内に常に入っており、共鳴箱３２から音響が発しているときに、鍵盤蓋ユニットＵＮＴを動かすことで、その変位に応じて音響が変化する。特に、音板打楽器である本鍵盤楽器１０において、音板３０の発音による単調な楽音に変化を与えることができる。よって、多彩で表現力豊かな演奏を可能にすることができる。しかも、前蓋４４が、後蓋４６と協働して前側開口部ＯＰ０（図１参照）の実質的な開口状態を変化させるので、音響の変化をより強調することができる。
【００４０】
また、前蓋４４が前側開口部ＯＰ０の実質的な開口状態を変化させる部材を兼ねるだけでなく、前蓋体４０の操作によって後蓋４６が前蓋体４０と連動して変位するように構成されていることで、鍵盤蓋ユニットＵＮＴを、音響可変のための部材に兼用して、構成の複雑化を抑制することができる。
【００４１】
なお、音源ユニット３０からの音響を可変にするという観点に限って言えば、鍵盤蓋ユニットＵＮＴにそれらの機能を果たさせる代わりに、収容部１０ａａ内において、変位する部材を鍵盤蓋ユニットＵＮＴとは別個に設けてもよい。例えば、上記変位する部材を、音源ユニット３０から発する音の伝搬経路に介在させるように配設すると共に、該変位する部材を演奏中に駆動操作するための操作部を設ければよい。
【００４２】
例えば、図４に変形例を示すように、音源ユニット３０の下部の音板３１に近接して、板状の変位部材１４６を設ける。変位部材１４６は、不図示の操作部によって、演奏中に操作可能に構成する。変位部材１４６の動きは、水平移動、上下移動、前後揺動、左右揺動の少なくとも１つが可能なように構成する。この構成によっても、上記と同様の音響可変効果を奏することができる。
【００４３】
なお、前蓋体４０等の部材によって開口状態が可変とされる開口部は、収容部１０ａａを奏者側に開放するものに限られず、上方、側方または後方に開放するものであってもよく、前蓋体４０等に代わる部材もその開口部の位置に応じて設ければよい。
【００４４】
なお、本実施の形態においては、前側開口部ＯＰ０（図１参照）の実質的な開口状態は、前蓋４４と後蓋４６との協働で可変とされたが、これに限るものではない。例えば、いずれか一方のみで可変としてもよい。あるいは、操作によって駆動される、鍵盤蓋ユニットＵＮＴとは別個の部材を設け、該部材によって可変としてもよい。
【００４５】
なお、鍵盤蓋ユニットＵＮＴの開蓋途中状態として、図２に示す状態を例示したが、これは例示であり、演奏時における鍵盤蓋ユニットＵＮＴの移動範囲の前端位置は、図２に示す位置よりも閉蓋方向に近くてもよい。
【００４６】
なお、後蓋４６を駆動するための操作部としては、前蓋体４０に限られず、前蓋体４０とは別個独立に操作部を設け、該操作部によって後蓋４６乃至鍵盤蓋ユニットＵＮＴ全体が動作するように構成してもよい。その場合、操作部としては、例えば、足で操作するペダルを設けてもよい。
【００４７】
なお、後蓋４６等の変位部材で音響が可変とされる音響発生源として、音板３０と共鳴箱３２とで構成される音源ユニット３０を例示したが、これに限るものではなく、響板や弦等に対してより狭い限定的な範囲に発音位置が集約された箱状のもの、例えば、スピーカ及びスピーカボックスでなるものであってもよい。
【００４８】
なお、本発明は、グロッケンシュピールにも適用可能であり、また、鍵盤楽器以外の楽器にも適用可能である。
【図面の簡単な説明】
【００４９】
【図１】本発明の一実施の形態に係る楽器である鍵盤楽器の楽器本体の内部構成を示す断面図であり、鍵盤蓋ユニットの閉蓋状態を示す図である。
【図２】同形態に係る鍵盤楽器の楽器本体の内部構成を示す断面図であり、鍵盤蓋ユニットの開蓋途中状態を示す図である。
【図３】同形態に係る鍵盤楽器の楽器本体の内部構成を示す断面図であり、鍵盤蓋ユニットの開蓋状態を示す図である。
【図４】本実施の形態の変形例に係る楽器の楽器本体の内部構成を示す断面の略図である。
【符号の説明】
【００５０】
１０  鍵盤楽器、  １０ａ  楽器本体、  ２４  ハンマフェルト（打撃部）、  ２７  白鍵（演奏操作子）、  ２８  黒鍵（演奏操作子）、  ３０  音源ユニット（音響発生部）、  ３１  音板（発音部材）、  ３２  共鳴箱、  ４０  前蓋体（操作部）、  ４４  前蓋（開口可変部材、前側蓋体）、  ４６  後蓋（変位部材、後側蓋体）、  ＯＰ０  前側開口部（開口部）、  ＵＮＴ  鍵盤蓋ユニット（鍵盤蓋）
【図１】
2007240609.tif 000003
【図２】
2007240609.tif 000004
【図３】
2007240609.tif 000005
【図４】
2007240609.tif 000006